【手続補正書】
【提出日】平成18年3月30日(2006.3.30)
【手続補正１】
【補正対象書類名】特許請求の範囲
【補正対象項目名】請求項１
【補正方法】変更
【補正の内容】
【請求項１】
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
前記取込経路を挟んで対向する位置に配置された一対の投光部と受光部とからなり、該投光部から受光部への光の遮断を検知することで当該取込経路を流下するメダルを検出する投入メダルセンサと、
前記投入メダルセンサの検出状態に基づいて前記メダル投入口から投入されたメダルが適正か否かを判定する判定手段と、
を備え、
前記投入メダルセンサは、前記取込経路に沿って配置された第１の投入メダルセンサ及び第２の投入メダルセンサを含み、
該第１の投入メダルセンサ及び第２の投入メダルセンサは、メダルが前記取込経路に沿って正常な方向に流下するときに、前記第１の投入メダルセンサのみが最初にメダルを検出し、次いで前記第１の投入メダルセンサ及び前記第２の投入メダルセンサが同時にメダルを検出し、更に前記第２の投入メダルセンサのみがメダルを検出するような位置であって、かつ連続して前記取込経路に沿って流下する複数のメダル毎に前記第１の投入メダルセンサ及び前記第２の投入メダルセンサの双方が同時にメダルの非検出となることがある位置に配置され、
前記判定手段は、前記第１の投入メダルセンサ及び前記第２の投入メダルセンサによって検出された検出順序が正常であることを条件に前記メダル投入口から投入されたメダルが適正であると判定し、
前記取込経路の前記メダル投入口から前記第２の投入メダルセンサまでの間の少なくとも一部の経路幅が、前記メダルの厚みよりもわずかに幅広に形成されているとともに、前記第１の投入メダルセンサ及び前記第２の投入メダルセンサのうち一方の投入メダルセンサの投光部と受光部の向きが、他方の投入メダルセンサの投光部と受光部の向きと逆に配置されていることを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
前記取込経路を挟んで対向する位置に配置された一対の投光部と受光部とからなり、該投光部から受光部への光の遮断を検知することで当該取込経路を流下するメダルを検出する投入メダルセンサと、
前記投入メダルセンサの検出状態に基づいて前記メダル投入口から投入されたメダルが適正か否かを判定する判定手段と、
を備え、
前記投入メダルセンサは、前記取込経路に沿って配置された第１の投入メダルセンサ及び第２の投入メダルセンサを含み、
該第１の投入メダルセンサ及び第２の投入メダルセンサは、メダルが前記取込経路に沿って正常な方向に流下するときに、前記第１の投入メダルセンサのみが最初にメダルを検出し、次いで前記第１の投入メダルセンサ及び前記第２の投入メダルセンサが同時にメダルを検出し、更に前記第２の投入メダルセンサのみがメダルを検出するような位置であって、かつ連続して前記取込経路に沿って流下する複数のメダル毎に前記第１の投入メダルセンサ及び前記第２の投入メダルセンサの双方が同時にメダルの非検出となることがある位置に配置され、
前記判定手段は、前記第１の投入メダルセンサ及び前記第２の投入メダルセンサによって検出された検出順序が正常であることを条件に前記メダル投入口から投入されたメダルが適正であると判定し、
前記取込経路の前記メダル投入口から前記第２の投入メダルセンサまでの間の少なくとも一部の経路幅が、前記メダルの厚みよりもわずかに幅広に形成されているとともに、前記第１の投入メダルセンサ及び前記第２の投入メダルセンサのうち一方の投入メダルセンサの投光部と受光部の向きが、他方の投入メダルセンサの投光部と受光部の向きと逆に配置されていることを特徴としている。
この特徴によれば、取込経路の流下方向に沿って設けられた第１の投入メダルセンサ及び第２の投入メダルセンサの検出順序が正常であることを条件に投入されたメダルが適正であると判定されるので、第１の投入メダルセンサ及び第２の投入メダルセンサの検出パターンが複雑となって前述した不正器具に搭載された発光素子による再現が困難となるばかりか、第１の投入メダルセンサ及び第２の投入メダルセンサのうち一方の投入メダルセンサの投光部と受光部の向きが、他方の投入メダルセンサの投光部と受光部の向きと逆に配置されているので、発光素子を搭載した不正器具を用いてメダルの投入を誤検出させる場合には、基板を挟んで両側に発光素子を搭載しなければならず、器具の厚みが増して不正器具をメダルの投入口から投入メダルセンサの位置まで挿入することが困難となるため、これら発光素子を搭載した不正器具による不正行為を効果的に抑制することができる。更に、取込経路のメダル投入口から第２の投入メダルセンサまでの間の少なくとも一部の経路幅がメダルの厚みよりもわずかに幅広に形成されているので、メダルの流下を妨げず、かつメダルの厚み以上の不正器具を投光部と受光部の間に配置することがほぼ不可能となるので、発光素子を搭載した不正器具を用いてメダルの投入を誤検出させる不正行為をより一層効果的に抑止できる。
尚、所定数の賭数とは、少なくとも１以上の賭数であって、２以上の賭数が設定されることや最大賭数が設定されることでゲームが開始可能となるようにしても良い。
また、メダルの厚みよりもわずかに幅広に形成されているとは、メダルの厚みを越える幅でメダルの厚みの２倍未満の幅に形成されているものであれば良い。
また、前記取込経路の前記メダル投入口から前記第２の投入メダルセンサまでの間の少なくとも一部の経路幅とは、経路自体の幅及び該経路に沿って設けられた投入メダルセンサの投光部と受光部との離間幅の双方を含む。
また、投入されたメダルを前記賭数の設定に用いるために取り込むとは、投入されたメダルを直接賭数の設定に用いるために取り込むことのみでなく、投入されたメダルを賭数の設定に用いるためのクレジットとして内部に貯留するために取り込むことも含む。
【手続補正３】
【補正対象書類名】明細書
【補正対象項目名】００９１
【補正方法】変更
【補正の内容】
【００９１】
本発明の請求項１は、１ゲームに対して所定数の賭数を設定することによりゲームが開始可能となるとともに、各々が識別可能な複数種類の識別情報（図柄）を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、メダル投入口（メダル投入部４）から投入されたメダルを前記賭数の設定に用いるために取り込むための取込経路（取込側流路３０２）と、前記取込経路を挟んで対向する位置に配置された一対の投光部３７と受光部３８とからなり、該投光部から受光部への光の遮断を検知することで当該取込経路を流下するメダルを検出する投入メダルセンサ｛投入メダルセンサ３１ａ〜ｃ（センサ１〜３）｝と、前記投入メダルセンサの検出状態に基づいて前記メダル投入口から投入されたメダルが適正か否かを判定する判定手段｛メイン制御部４１（投入メダル判定処理）｝と、を備え、前記投入メダルセンサは、前記取込経路に沿って配置された第１の投入メダルセンサ｛投入メダルセンサ３１ａ（センサ１）｝及び第２の投入メダルセンサ｛投入メダルセンサ３１ｃ（センサ３）｝を含み、該第１の投入メダルセンサ及び第２の投入メダルセンサは、メダルが前記取込経路に沿って正常な方向に流下するときに、前記第１の投入メダルセンサのみが最初にメダルを検出し、次いで前記第１の投入メダルセンサ及び前記第２の投入メダルセンサが同時にメダルを検出し、更に前記第２の投入メダルセンサのみがメダルを検出するような位置であって、かつ連続して前記取込経路に沿って流下する複数のメダル毎に前記第１の投入メダルセンサ及び前記第２の投入メダルセンサの双方が同時にメダルの非検出となることがある位置に配置され、前記判定手段は、前記第１の投入メダルセンサ及び前記第２の投入メダルセンサによって検出された検出順序が正常であることを条件に前記メダル投入口から投入されたメダルが適正であると判定し、前記取込経路の前記投入口から前記第２の投入メダルセンサまでの間の少なくとも一部の経路幅（ｓ）が、前記メダルの厚み（ｍ）よりもわずかに幅広（メダルの厚みの１．５倍）に形成されているとともに、前記第１の投入メダルセンサ及び前記第２の投入メダルセンサのうち一方の投入メダルセンサの投光部と受光部の向きが、他方の投入メダルセンサの投光部と受光部の向きと逆に配置されている。